(57)【要約】装置（１１）内に貯留されている液薬の無針皮下注射を行うための装置（１１）であって、該装置（１１）は、薬剤を注射するために必要な圧力を該装置（１１）内に発生させるための発火手段を含み、該装置（１１）は、該装置（１１）内に収容されている推進剤（２４ａ）に点火するための非電気的点火手段を具備する。点火手段は、衝撃によって作動する伝爆薬材料（２）と、伝爆薬材料（２）に衝接する撃針（５）とを具備し、撃針（５）が伝爆薬材料（２）に衝接したときに、伝爆薬材料（２）の高温の燃焼生成物によって推進剤（２４ａ）に点火されるように、伝爆薬材料（２）が推進剤（２４ａ）に対して位置決めされている。
2006508718.tif 000002
【特許請求の範囲】
【請求項１】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
衝撃によって作動する伝爆薬材料と、前記伝爆薬材料に衝接する撃針とを具備し、撃針が該伝爆薬材料に衝接したときに、該伝爆薬材料の高温の燃焼生成物によって前記推進剤に点火されるように、前記伝爆薬材料が前記推進剤に対して位置決めされている装置。
【請求項２】
前記衝撃によって作動する伝爆薬材料は、薬莢の中空リム内に収容されており、前記撃針が作動時に前記リムの一点を潰すようになっている請求項１に記載の装置。
【請求項３】
前記衝撃により作動する伝爆薬材料は、変形可能なカップ、アンビルおよび伝爆薬材料を具備したセンターファイヤー式の伝爆薬装置の一部であり、該伝爆薬装置において、作動時に前記撃針が前記カップを窪ませて伝爆薬材料を前記アンビルに対して押し潰す請求項１に記載の装置。
【請求項４】
前記伝爆薬材料への点火によってのみ、十分な体積、圧力のガスが発生し、該装置によって注射を行うために付加的推進剤を必要としない請求項１に記載の装置。
【請求項５】
前記伝爆薬材料によって第１の高速、高圧の圧力パルスが発生し、これによって、点火が開始し、同時に低速燃焼する推進剤が点火され、注射が完了するまでの間低圧が提供される請求項１に記載の装置。
【請求項６】
該装置の使用に先立って前記伝爆薬材料が水蒸気と接触することを防止する脆弱な閉蓋によってシールされた容器内に前記伝爆薬材料が収容されている請求項１に記載の装置。
【請求項７】
前記薬莢は、該装置の使用に先立って水蒸気が該薬莢内へ侵入することを防止する脆弱な閉蓋によってシールされている請求項２に記載の装置。
【請求項８】
前記推進剤の少なくとも一部が前記薬莢内に収容されている請求項２に記載の装置。
【請求項９】
前記薬莢内の推進剤の一部が、前記薬莢外の推進剤の一部とは異なる特性を備えている請求項８に記載の装置。
【請求項１０】
該装置の使用に先立って前記伝爆薬材料が水蒸気と接触することを防止する脆弱な閉蓋によってシールされている請求項３に記載の装置。
【請求項１１】
前記装置が、更に、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する請求項１〜１０の何れか１項に記載の装置。
【請求項１２】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項１１に記載の装置。
【請求項１３】
前記装置は、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている請求項１から１０の何れか１項に記載の装置。
【請求項１４】
前記ノズル本体および前記ハウジングは、１つの同じ材料から１つの部品として一体的に形成されている請求項１３に記載の装置。
【請求項１５】
更に、前記第１と第２の変形可能な第１の間の空間から排気するための排気手段を具備する請求項１３に記載の装置。
【請求項１６】
前記第２のダイヤフラムを備えない請求項１３に記載の装置。
【請求項１７】
前記装置が、更に、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する請求項１〜１０の何れか１項に記載の装置。
【請求項１８】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)空洞を有し撓ませることにより変形可能な第１の本体であって、前記装置内で推進剤を配設した領域と該空洞とを連通させる出口を有した第１の本体と、
(b)前記空洞内に配設された第２の本体であって、該第２の本体の外面の一部が前記第１の本体の内面の一部から離間しており、該第２の本体は撓ませることによりある程度弾性変形するが、撓みが所定の閾値を越えると破損するようになっている第２の本体とを具備し、
(c)前記第２の本体の外面の前記一部と、前記第１の本体の内面の前記一部は、互いに対面するように設けられ、該外面の一部と内面の一部の一方または双方が衝撃感応性の煙火材料により被覆されており、前記第２の本体を収容した前記第１の本体の撓みにより、前記第２の本体が前記閾値を越えて撓んで破損することにより、前記外面部分および内面部分が互いに衝接し、前記衝撃感応性の煙火材料が点火され、この点火による生成物によって前記推進剤に点火されるようにした装置。
【請求項１９】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)空洞を有し撓ませることにより変形可能で閉鎖端部と開口端部とを有した管であって、前記開口端部を通じて、前記管の内部空間が、前記装置内で推進剤を配設した領域と連通する管と、
(b)前記管の内部空間内に配設された破損可能なロッドであって、該ロッドの外面の一部が前記管の内面の一部から離間しており、該ロッドは撓ませることによりある程度弾性変形するが、撓みが所定の閾値を越えると破損するようになっているロッドとを具備し、
(c)前記ロッドの外面の前記一部と、前記管の内面の前記一部は、互いに対面するように設けられ、該外面の一部と内面の一部の一方または双方が衝撃感応性の煙火材料により被覆されており、前記ロッドを収容した前記管の撓みにより、前記ロッドが前記閾値を越えて撓んで破損することにより、前記外面部分および内面部分が互いに衝接し、前記衝撃感応性の煙火材料が点火され、この点火による生成物によって前記推進剤に点火されるようにした装置。
【請求項２０】
前記空洞の出口は、該装置の使用に先立って前記空洞内に水蒸気が侵入することを防止する脆弱な閉蓋によってシールされている請求項１８に記載の装置。
【請求項２１】
前記管の開口端部は、該装置の使用に先立って前記管の内部空間に水蒸気が侵入することを防止する脆弱な閉蓋によってシールされている請求項１９に記載の装置。
【請求項２２】
二次点火材料が前記空洞の外側で該空洞の近傍に配設されており、前記衝撃感応性の煙火材料の燃焼生成物によって前記二次点火材料が点火され、推進剤を点火するための高温物質の量を増加するようにした請求項１８に記載の装置。
【請求項２３】
二次点火材料が前記空洞の内側で該空洞の近傍に配設されており、前記衝撃感応性の煙火材料の燃焼生成物によって前記二次点火材料が点火され、推進剤を点火するための高温物質の量を増加するようにした請求項１８に記載の装置。
【請求項２４】
前記対面している表面部分の一方が、衝撃感応性の煙火材料によって被覆されており、他方が二次点火材料によって被覆されている請求項１８に記載の装置。
【請求項２５】
前記対面している表面部分の一方または双方が、衝撃感応性の煙火材料の層と、二次点火材料の層とによって被覆されている請求項１８に記載の装置。
【請求項２６】
二次点火材料が前記管の外側で該管の出口の近傍に配設されており、前記衝撃感応性の煙火材料の燃焼生成物によって前記二次点火材料が点火され、推進剤を点火するための高温物質の量を増加するようにした請求項１９に記載の装置。
【請求項２７】
二次点火材料が前記管の内部で該管の出口の近傍に配設されており、前記衝撃感応性の煙火材料の燃焼生成物によって前記二次点火材料が点火され、推進剤を点火するための高温物質の量を増加するようにした請求項１９に記載の装置。
【請求項２８】
前記対面している表面部分の一方が、衝撃感応性の煙火材料によって被覆されており、他方が二次点火材料によって被覆されている請求項１９に記載の装置。
【請求項２９】
前記対面している表面部分の一方または双方が、衝撃感応性の煙火材料の層と、二次点火材料の層とによって被覆されている請求項１９に記載の装置。
【請求項３０】
前記装置が、更に、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する請求項１８〜２９の何れか１項に記載の装置。
【請求項３１】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項３０に記載の装置。
【請求項３２】
前記装置は、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている請求項１８から２９の何れか１項に記載の装置。
【請求項３３】
前記ノズル本体および前記ハウジングは、１つの同じ材料から１つの部品として一体的に形成されている請求項３２に記載の装置。
【請求項３４】
更に、前記第１と第２の変形可能な第１の間の空間から排気するための排気手段を具備する請求項３２に記載の装置。
【請求項３５】
前記第２のダイヤフラムを備えない請求項３２に記載の装置。
【請求項３６】
前記装置が、更に、
(a)液薬を収容するための薬剤領域を有した剛性の容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する請求項１８〜２９の何れか１項に記載の装置。
【請求項３７】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)空洞を有し、前記装置内で推進剤を配設した領域と該空洞とを連通させる出口を有した第１の本体であって、該第１の本体の管部分が一方側から局所的な衝撃を与えることにより変形可能な第１の本体と、
(b)前記管の空洞内に配設された中実のアンビルであって、該アンビルの外面の一部が前記管の内面の一部から離間しているアンビルと、
(c)前記第１の本体の外面のスポットに機械的衝撃を与える手段とを具備し、
前記アンビルの一部と前記管の内面の前記一部とは、互いに対面するように設けられ、該外面の一部と内面の一部の一方または双方が衝撃感応性の煙火材料により被覆されており、前記衝撃を与える手段により前記外面の一部と内面の一部に与えられた衝撃によって、前記衝撃感応性の煙火材料が点火され、この点火による生成物によって前記推進剤に点火されるようにした装置。
【請求項３８】
装置内に貯留されている液薬の無針皮下注射を行うための装置であって、該装置は、薬剤を注射するために必要な圧力を該装置内に発生させるための発火手段を含んでなる装置において、
(a)前記装置内において前記推進剤を配置する領域と、
(b)前記推進剤に点火するための点火手段とを具備し、
前記点火手段が、
(b-1)空洞を有し、前記装置内で推進剤を配設した前記領域と該空洞とを連通させる出口を有した中空の本体であって、該中空の本体の一部が、一方側から局所的な衝撃を与えることにより変形可能な中空の本体と、
(b-2)前記中空の本体の外面のスポットに機械的衝撃を与える手段とを具備し、
前記外面は、衝撃感応性の煙火材料により被覆された内面の反対側であり、前記衝撃を与える手段により前記スポットに与えられた衝撃によって、前記衝撃感応性の煙火材料が点火され、この点火による生成物によって前記推進剤に点火されるようにした装置。
【請求項３９】
前記機械的衝撃を与える手段は、トリガーによってラッチが開放されたたときに、前記スポットに衝接するバネ機構を具備する請求項３７または３８に記載の装置。
【請求項４０】
前記空洞の出口は、該装置の使用に先立って前記空洞内に水蒸気が侵入することを防止する脆弱な閉蓋によってシールされている請求項３７〜３９の何れか１項に記載の装置。
【請求項４１】
二次点火材料が前記空洞の外側で該空洞の近傍に配設されており、前記衝撃感応性の煙火材料の燃焼生成物によって前記二次点火材料が点火され、推進剤を点火するための高温物質の量を増加するようにした請求項３７〜４０の何れか１項に記載の装置。
【請求項４２】
二次点火材料が前記空洞の内側で該空洞の近傍に配設されており、前記衝撃感応性の煙火材料の燃焼生成物によって前記二次点火材料が点火され、推進剤を点火するための高温物質の量を増加するようにした請求項３７〜４１の何れか１項に記載の装置。
【請求項４３】
前記対面している表面部分の一方が、衝撃感応性の煙火材料によって被覆されており、他方が二次点火材料によって被覆されている請求項３７に記載の装置。
【請求項４４】
前記対面している表面部分の一方または双方が、衝撃感応性の煙火材料の層と、二次点火材料の層とによって被覆されている請求項３７に記載の装置。
【請求項４５】
前記装置が、更に、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する請求項３７〜４４の何れか１項に記載の装置。
【請求項４６】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項４５に記載の装置。
【請求項４７】
前記装置は、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている請求項３７から４４の何れか１項に記載の装置。
【請求項４８】
前記ノズル本体および前記ハウジングは、１つの同じ材料から１つの部品として一体的に形成されている請求項４７に記載の装置。
【請求項４９】
更に、前記第１と第２の変形可能な第１の間の空間から排気するための排気手段を具備する請求項４７に記載の装置。
【請求項５０】
前記第２のダイヤフラムを備えない請求項４７に記載の装置。
【請求項５１】
前記装置が、更に、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する請求項３７〜４４の何れか１項に記載の装置。
【請求項５２】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備し、該装置は、該装置内に収容されている推進剤に点火するための点火手段を具備して成る装置において、
前記点火手段が、
(a)前記装置内に収容され互いに分離した第１と第２の自然発火性の部材であって、互いに接触したときに化学反応を起こし、推進剤に点火するために必要な熱を生成する自然発火性の部材から形成された一対の自然発火性部材と、
(b)前記第１と第２の自然発火性部材を互いに接触させる手段とを具備する装置。
【請求項５３】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)閉鎖された端部と、前記装置内で推進剤を配設した前記領域と該空洞とを連通させる出口を有し、撓ませることにより変形可能な第１の管と、
(b)両端が閉鎖され、かつ、前記空洞内に配設された第２の本体であって、該第２の本体の外面の少なくとも一部が前記第１の本体の内面の一部から離間しており、該第２の本体は、所定の閾値を越えて第１の管を撓ませることにより破損する、一対の自然発火性部材の第１の部材を収容した第２の本体と、
(c)前記第１の本体の内面と、前記第２の本体の外面の間に配設された、前記一対の自然発火性部材の第２の部材とを具備し、
前記第１の本体が前記閾値を越えて撓むことにより前記第２の管が破損したときに、前記一対の自然発火性部材の第１と第２の部材が接触して、その化学反応によって点火し、この点火による生成物によって前記推進剤に点火されるようにした装置。
【請求項５４】
前記第１の管の出口は、該装置の使用に先立って水蒸気が該第１の管内へ侵入することを防止する脆弱な閉蓋によってシールされている請求項５３に記載の装置。
【請求項５５】
二次点火材料が前記第１の管の外側で該第１の管の出口近傍に配設されており、前記衝撃感応性の煙火材料の燃焼生成物によって前記二次点火材料が点火され、推進剤を点火するための高温物質の量を増加するようにした請求項５３に記載の装置。
【請求項５６】
二次点火材料が前記第１の管の内側で該第１の管の出口近傍に配設されており、前記衝撃感応性の煙火材料の燃焼生成物によって前記二次点火材料が点火され、推進剤を点火するための高温物質の量を増加するようにした請求項５３に記載の装置。
【請求項５７】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)閉鎖された端部と、前記装置内で推進剤を配設した前記領域と該空洞とを連通させる出口を有し、撓ませることにより変形可能な細長い容器と、
(b)両端が閉鎖され、かつ、一対の自然発火性部材の第１の部材を収容し前記空洞内に配設された第１の管と、
(c)両端が閉鎖され、かつ、一対の自然発火性部材の第２の部材を収容し前記空洞内に配設された第２の管とを具備し、
前記容器が前記閾値を越えて撓むことにより前記第１と第２の管が破損し、前記容器が前記閾値を越えて撓むことにより前記第１と第２の管が破損たときに、前記一対の自然発火性部材の第１と第２の部材が接触して、その化学反応によって点火し、この点火による生成物によって前記推進剤に点火されるようにした装置。
【請求項５８】
前記容器の出口は、該装置の使用に先立って水蒸気が該第１の管内へ侵入することを防止する脆弱な閉蓋によってシールされている請求項５７に記載の装置。
【請求項５９】
二次点火材料が前記第１と第２の管の破断部位近傍に配設されており、前記衝撃感応性の煙火材料の燃焼生成物によって前記二次点火材料が点火され、推進剤を点火するための高温物質の量を増加するようにした請求項５７に記載の装置。
【請求項６０】
二次点火材料が前記第容器の外側で該容器の出口の近傍に配設されており、前記衝撃感応性の煙火材料の燃焼生成物によって前記二次点火材料が点火され、推進剤を点火するための高温物質の量を増加するようにした請求項５７に記載の装置。
【請求項６１】
二次点火材料が前記第容器の内側で該容器の出口の近傍に配設されており、前記衝撃感応性の煙火材料の燃焼生成物によって前記二次点火材料が点火され、推進剤を点火するための高温物質の量を増加するようにした請求項５７に記載の装置。
【請求項６２】
前記装置が、更に、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する請求項５２〜６１の何れか１項に記載の装置。
【請求項６３】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項６２に記載の装置。
【請求項６４】
前記装置は、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている請求項５２から６１の何れか１項に記載の装置。
【請求項６５】
前記ノズル本体および前記ハウジングは、１つの同じ材料から１つの部品として一体的に形成されている請求項６４に記載の装置。
【請求項６６】
更に、前記第１と第２の変形可能な第１の間の空間から排気するための排気手段を具備する請求項６４に記載の装置。
【請求項６７】
前記第２のダイヤフラムを備えない請求項６４に記載の装置。
【請求項６８】
前記装置が、更に、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する請求項５２〜６１の何れか１項に記載の装置。
【請求項６９】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)回転体と、
(b)静止体と、
(c)前記回転体の少なくとも一部を前記回転体に対して押圧して、前記回転体の外面の一部を前記静止体に接触させる手段と、
(d)係止位置において、前記回転体の回転を防止する係止手段と、
(e)前記係止手段が、係止位置から解除されると、前記回転体を回転させる手段とを具備し、
前記回転体の前記部分の少なくとも一部または前記静止体の外面の少なくとも一部が、摩擦により活性化して燃焼し火炎を発する燃焼性混合物により被覆されており、
前記回転により前記燃焼性混合物が前記静止体の外面または静止体の外面に対して摩擦し、前記混合物が点火して、この点火による生成物によって前記推進剤に点火されるようにした装置。
【請求項７０】
装置内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記点火手段が、
(a)回転体と、
(b)静止体と、
(c)前記回転体の少なくとも一部を前記回転体に対して押圧して、前記回転体の外面の一部を前記静止体に接触させる手段と、
(d)係止位置において、前記回転体の回転を防止する係止手段と、
(e)前記係止手段が、係止位置から解除されると、前記回転体を回転させる手段とを具備し、
前記回転体の前記部分の少なくとも一部が一対の自然発火性部材の第１の部材により被覆され、前記静止体の外面の少なくとも一部が前記一対の自然発火性部材の第２の部材により被覆されており、
前記回転により自然発火性部材の第１と第２の部材が互いに接触して、その化学反応により点火し、この点火による生成物によって前記推進剤に点火されるようにした装置。
【請求項７１】
前記回転体および前記静止体は、該回転体および静止体の被覆材料が湿ることを防止する脆弱な閉蓋により閉鎖されている請求項６９または７０に記載の装置。
【請求項７２】
前記回転体と前記静止体が互いに接触する領域の近傍に二次点火材料が配設されている請求項６９または７０に記載の装置。
【請求項７３】
前記装置が、更に、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する請求項６９〜７２の何れか１項に記載の装置。
【請求項７４】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項７３に記載の装置。
【請求項７５】
前記装置は、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている請求項６９から７２の何れか１項に記載の装置。
【請求項７６】
前記ノズル本体および前記ハウジングは、１つの同じ材料から１つの部品として一体的に形成されている請求項７５に記載の装置。
【請求項７７】
更に、前記第１と第２の変形可能な第１の間の空間から排気するための排気手段を具備する請求項７５に記載の装置。
【請求項７８】
前記第２のダイヤフラムを備えない請求項７５に記載の装置。
【請求項７９】
前記装置が、更に、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する請求項６９〜７２の何れか１項に記載の装置。
【請求項８０】
装置内の薬剤ユニット内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記装置が、更に、
(a)前記所定の内圧値に耐える或いは吸収する形状、寸法のハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室と、
(d)圧電スパーク発生器を具備する点火手段とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出するようにした装置。
【請求項８１】
前記推進剤は推進剤室に収容されており、該推進剤室は薄肉部を有した壁を有しており、前記推進剤の点火に際して前記推進剤室内の圧力が所定値を越えると、前記薄肉部は破裂して前記壁に開口部が形成される請求項８０に記載の装置。
【請求項８２】
装置内の薬剤ユニット内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記装置が、更に、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられており、
前記推進剤に点火する点火手段が圧電スパーク発生器を具備して成る装置。
【請求項８３】
前記ノズル本体および前記ハウジングは、１つの同じ材料から１つの部品として一体的に形成されている請求項８２に記載の装置。
【請求項８４】
更に、前記第１と第２の変形可能な第１の間の空間から排気するための排気手段を具備する請求項８２に記載の装置。
【請求項８５】
前記第２のダイヤフラムを備えない請求項８２に記載の装置。
【請求項８６】
装置内の薬剤ユニット内に貯留されている液薬の無針皮下注射を行うための装置であって、該装置は、薬剤を注射するために必要な圧力を該装置内に発生させるための発火手段を含み、該装置は、該装置内に収容されている推進剤に点火するための点火手段を具備して成る装置において、
前記装置が、更に、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段と、
(f)圧電スパーク発生器を具備し前記推進剤に点火する点火手段とを具備する装置。
【請求項８７】
前記推進剤が一体形推進剤ペレットである請求項１〜８６の何れか１項に記載の薬液を無針皮下注射する装置。
【請求項８８】
点火層が、前記一体形推進剤ペレットに接触するように設けられ或いは前記ペレットの一体的部分として設けられている請求項８７に記載の装置。
【請求項８９】
前記推進剤は、所定形状と所定の化学組成物を有した複数の一体形推進剤ペレットを所定の相対位置に配列、形成されている請求項８７または８８に記載の装置。
【請求項９０】
点火層が、前記配列、形成した一体形推進剤ペレットに接触するように設けられ或いは前記ペレットの一体的部分として設けられている請求項８９に記載の装置。
【発明の詳細な説明】
【技術分野】
【０００１】
本発明は、装置に入れた液剤の無針皮下注射を行うための装置に関し、前記装置は、薬剤を注射するために必要な圧力を装置内に発生させる発火手段を含み、前記装置は装置内に配設された推進剤に点火するための点火手段を具備している。
【０００２】
本発明において、推進剤は、システムの熱エネルギと生成ガスとを解放するのに主として寄与する煙火燃料である。
本発明において、点火材料は発火開始剤で用いる煙火材料である。
【背景技術】
【０００３】
特許文献１には、装置に収容した推進剤に点火して注射を行うために必要なガス圧力を発生させるための電気式点火手段を具備する上述した種の無針皮下注射装置が記載されている。電気式点火には、エネルギ源としてバッテリーを使用しなければならない。バッテリーの使用には欠点がある。と言うのは、環境問題からバッテリーを普通ごみとして廃棄することは許されないからである。こうして、電気式点火は、一回の注射または多くとも数回の注射を行った後に普通ごみとして廃棄可能でなければならない無針注射装置には適していない。更に、バッテリーは複数回の注射を行うために使用可能であるので、一回の使用によってバッテリーごと注射装置全体を廃棄することは無駄である。
【０００４】
【特許文献１】米国特許第６２５８０６３号明細書
【発明の開示】
【発明が解決しようとする課題】
【０００５】
上述した電気的点火の欠点に鑑み、本発明は、非電気的点火手段を備え、従ってバッテリーを使用することなく使用可能な、既述した種の無針注射装置を提供することを目的とする。
【課題を解決するための手段】
【０００６】
本発明の第１の特徴によれば、上記目的は、点火手段が、衝撃によって作動する伝爆薬材料と、前記伝爆薬材料に衝接する撃針とを具備し、撃針が該伝爆薬材料に衝接したときに、該伝爆薬材料の高温の燃焼生成物によって前記推進剤に点火されるように、前記伝爆薬材料が前記推進剤に対して位置決めされている無針皮下注射装置により達成される。
【０００７】
本発明の第２の特徴によれば、上記目的は、点火手段が、
(a)空洞を有し撓ませることにより変形可能な第１の本体であって、前記装置内で推進剤を配設した領域と該空洞とを連通させる出口を有した第１の本体と、
(b)前記空洞内に配設された第２の本体であって、該第２の本体の外面の一部が前記第１の本体の内面の一部から離間しており、該第２の本体は撓ませることによりある程度弾性変形するが、撓みが所定の閾値を越えると破損するようになっている第２の本体とを具備し、
(c)前記第２の本体の外面の前記一部と、前記第１の本体の内面の前記一部は、互いに対面するように設けられ、該外面の一部と内面の一部の一方または双方が衝撃感応性の煙火材料により被覆されており、前記第２の本体を収容した前記第１の本体の撓みにより、前記第２の本体が前記閾値を越えて撓んで破損することにより、前記外面部分および内面部分が互いに衝接し、前記衝撃感応性の煙火材料が点火され、この点火による生成物によって前記推進剤に点火されるようにした無針皮下注射装置により達成される。
【０００８】
本発明の第３の特徴によれば、上記目的は、点火手段が、
(a)空洞を有し、前記装置内で推進剤を配設した領域と該空洞とを連通させる出口を有した第１の本体であって、該第１の本体の管部分が一方側から局所的な衝撃を与えることにより変形可能な第１の本体と、
(b)前記管の空洞内に配設された中実のアンビルであって、該アンビルの外面の一部が前記管の内面の一部から離間しているアンビルと、
(c)前記第１の本体の外面のスポットに機械的衝撃を与える手段とを具備し、
前記アンビルの一部と前記管の内面の前記一部とは、互いに対面するように設けられ、該外面の一部と内面の一部の一方または双方が衝撃感応性の煙火材料により被覆されており、前記衝撃を与える手段により前記外面の一部と内面の一部に与えられた衝撃によって、前記衝撃感応性の煙火材料が点火され、この点火による生成物によって前記推進剤に点火されるようにした無針皮下注射装置により達成される。
【０００９】
本発明の第４の特徴によれば、上記目的は、点火手段が、
(a)前記装置内に収容され互いに分離した第１と第２の自然発火性の部材であって、互いに接触したときに化学反応を起こし、推進剤に点火するために必要な熱を生成する自然発火性の部材から形成された一対の自然発火性部材と、
(b)前記第１と第２の自然発火性部材を互いに接触させる手段とを具備する無針皮下注射装置により達成される。
【００１０】
この種の装置の第１の実施形態では、前記点火手段は、
(a)閉鎖された端部と、前記装置内で推進剤を配設した前記領域と該空洞とを連通させる出口を有し、撓ませることにより変形可能な第１の管と、
(b)両端が閉鎖され、かつ、前記空洞内に配設された第２の本体であって、該第２の本体の外面の少なくとも一部が前記第１の本体の内面の一部から離間しており、該第２の本体は、所定の閾値を越えて第１の管を撓ませることにより破損する、一対の自然発火性部材の第１の部材を収容した第２の本体と、
(c)前記第１の本体の内面と、前記第２の本体の外面の間に配設された、前記一対の自然発火性部材の第２の部材とを具備し、
前記第１の本体が前記閾値を越えて撓むことにより前記第２の管が破損したときに、前記一対の自然発火性部材の第１と第２の部材が接触して、その化学反応によって点火し、この点火による生成物によって前記推進剤に点火される。
【００１１】
上記点火手段の代替実施形態では、前記点火手段は、
(a)閉鎖された端部と、前記装置内で推進剤を配設した前記領域と該空洞とを連通させる出口を有し、撓ませることにより変形可能な細長い容器と、
(b)両端が閉鎖され、かつ、一対の自然発火性部材の第１の部材を収容し前記空洞内に配設された第１の管と、
(c)両端が閉鎖され、かつ、一対の自然発火性部材の第２の部材を収容し前記空洞内に配設された第２の管とを具備し、
前記容器が前記閾値を越えて撓むことにより前記第１と第２の管が破損し、前記容器が前記閾値を越えて撓むことにより前記第１と第２の管が破損たときに、前記一対の自然発火性部材の第１と第２の部材が接触して、その化学反応によって点火し、この点火による生成物によって前記推進剤に点火される。
【００１２】
本発明の第５の特徴によれば、上記目的は、点火手段が、
(a)回転体と、
(b)静止体と、
(c)前記回転体の少なくとも一部を前記回転体に対して押圧して、前記回転体の外面の一部を前記静止体に接触させる手段と、
(d)係止位置において、前記回転体の回転を防止する係止手段と、
(e)前記係止手段が、係止位置から解除されると、前記回転体を回転させる手段とを具備し、
前記回転体の前記部分の少なくとも一部または前記静止体の外面の少なくとも一部が、摩擦により活性化して燃焼し火炎を発する燃焼性混合物により被覆されており、
前記回転により前記燃焼性混合物が前記静止体の外面または静止体の外面に対して摩擦し、前記混合物が点火して、この点火による生成物によって前記推進剤に点火されるようにした無針皮下注射装置により達成される。
【００１３】
本発明の第６の特徴によれば、上記目的は、点火手段が、
(a)回転体と、
(b)静止体と、
(c)前記回転体の少なくとも一部を前記回転体に対して押圧して、前記回転体の外面の一部を前記静止体に接触させる手段と、
(d)係止位置において、前記回転体の回転を防止する係止手段と、
(e)前記係止手段が、係止位置から解除されると、前記回転体を回転させる手段とを具備し、
前記回転体の前記部分の少なくとも一部が一対の自然発火性部材の第１の部材により被覆され、前記静止体の外面の少なくとも一部が前記一対の自然発火性部材の第２の部材により被覆されており、
前記回転により自然発火性部材の第１と第２の部材が互いに接触して、その化学反応により点火し、この点火による生成物によって前記推進剤に点火されるようにした無針皮下注射装置により達成される。
【００１４】
本発明の第７の特徴によれば、上記目的は、点火手段が圧電スパーク発生器を具備する無針皮下注射装置により達成される。
【００１５】
本発明による無針皮下注射装置によって得られる主たる利点は、バッテリーを使用していないので家庭ゴミとして廃棄可能である点である。更に、本発明による装置の非電気的点火手段の幾つかは、装置の製造コストを著しく低減する。
【００１６】
上述した本発明の実施形態の各々は、無針注射装置の以下の例の１つと組み合わせるのに適している。
【００１７】
例１
無針注射装置の第１の構造は、
(a)ハウジングと、
(b)互いに連通し変形可能な第１の領域および噴出口を有した第２の領域を有する薬剤ユニットであって、注射すべき所定量の薬液を貯留するための形状、寸法を有した薬剤ユニットを収容した、前記ハウジング内に設けられた第１の室と、
(c)前記ハウジング内に設けられ推進剤を収容した第２の室とを具備し、
前記第１の室は、前記薬剤ユニットを収容した第１の領域、および、前記第２の室と連通した第２の領域の２つの領域を備え、前記第２の室内の推進剤に点火されると、ガスが発生して、前記第１の室の前記第２の領域内へ膨張し、前記薬剤ユニットの前記変形可能な第１の領域に圧力が印加されてこれが変形し、前記噴出口から前記薬液が噴出する。
【００１８】
例２
無針注射装置の第２の構造は、
(a)ノズル本体と、
(b)剛性のハウジングとを具備し、
前記ハウジングは、前記ノズル本体を受承し該ノズル本体に連結される開口した第１の端部と、閉鎖された第２の端部とを有し、
前記ハウジング内には、前記開口した端部と閉鎖された端部との間に延びる室が形成されており、該室には、
所定量の薬剤を収容するのに適した薬剤室を前記ノズル本体と共に形成する変形可能な第１のダイヤフラムと、
前記変形可能な第１のダイヤフラムの一部に沿って設けられた変形可能な第２のダイヤフラムとが配設されており、
前記変形可能な第２のダイヤフラムと前記ハウジングとが、推進剤と該推進剤に点火するための手段とを収容するための室を形成し、
前記ノズル本体の外側の端部には、前記推進剤の点火により発生したガス圧力が、前記変形可能な第２のダイヤフラムへ、その結果、前記変形可能な第１のダイヤフラムに作用したときに、前記室から前記薬剤を噴出させるための通路の出口を形成するオリフィスが設けられている。
【００１９】
例３
無針注射装置の第３の構造は、
(a)液薬を収容するための薬剤領域を有した剛性の薬剤容器と、
(b)前記薬剤領域と連通し出口オリフィスを有したノズルと、
(c)前記装置内において前記推進剤を配置する推進剤領域と、
(d)前記推進剤領域と前記薬剤領域とを連通させる通路と、
(e)前記通路内にスライド自在に配設されたピストン手段であって、前記推進剤の点火に際して該推進剤の燃焼により発生したガスによって該ピストン手段が移動し、前記液薬に圧力が作用し、前記ノズルの出口オリフィスから噴出するようにしたピストン手段とを具備する。
【発明を実施するための最良の形態】
【００２０】
以下、添付図面を参照して、本発明の好ましい実施形態に関して本発明の主題を説明する。これらの実施形態は、本発明を理解する目的で記載され、本発明を制限しない。
【００２１】
以下、添付図面を参照して、装置に収容した液剤を皮下注射するための本発明による種々の実施形態を説明する。これらの実施形態の各々は、薬剤を噴射するために必要な圧力を装置内に発生させるための煙火手段を備えている。この目的のために、後述する実施形態は装置内に収容された推進剤に点火するための非電気式点火手段を具備している。
【００２２】
実施例１
本発明による装置１１の第１の実施形態が図１に示されている。装置１１はカートリッジであり、内装された点火手段が衝撃感応性起爆剤２と、起爆剤２を打擲するための撃針５とを具備している。起爆剤２は、撃針５が該起爆剤を打擲したときに、起爆剤２の高温の燃焼性生物が薬莢７内の推進剤２４ａおよび必要に応じて装置内に収容されている補助推進剤２４ｂに点火するように、推進剤２４ａに関して位置決めされている。
【００２３】
薬莢７および起爆剤は、装置１１の一部を形成するガス発生器の一部を形成する。薬莢７は、該ガス発生器の後方部をシールし、シール目的で他のガスシールは必要ない。
【００２４】
薬莢７は、ベース部分に周設された中空リム６を有した薄い真鍮製カップより成る。中空リム６には、衝撃感応性起爆剤２が充填されている。湿らせた起爆剤をカップ内に入れて回転させ、遠心力によって混合物をリム内に移動させることにより、起爆剤２が充填される。撃針機構によって、撃針５がリム６の一点を打擲、潰すことにより、起爆剤２を点火する。
【００２５】
起爆剤２は、好ましくは、作業現場で用いられる釘打ちガン等の煙火的に起動する装置において駆動源として用いられる「グリーンイグナイター(green igniter)」とし、「非グリーンイグナイター(non-green igniter)」に含まれる有毒重金属による汚染問題が生じないようにする。
【００２６】
既述した装置１１の１つの利点は、低コストで製造可能である点である。と言うのは、薬莢７および該薬莢７のリム６に充填されている起爆剤２は、例えばキャリバー２２へり打ち薬莢である。薬莢７、起爆剤２および必要に応じて薬莢７内に充填される補助推進剤を具備した駆動源は、シールされ組み立てられた推進剤に必要な全てを含んだモジュールとして市販されている。これにより、注射装置１１の製造プロセスが非常に単純化される。
【００２７】
起爆剤２に点火することにより、それ自身、所定量の高温ガスを発生すると共に、薬莢内に収容されている補助推進剤に点火する。
【００２８】
必要に応じて装置１１内に収容される補助推進剤は、例えば、ニトロセルロースベースの微粒子組成物、或いは、同様の特性を有したセルロースベースの他の推進剤組成物、若しくは、推進剤組成物の混合物とすることができる。
【００２９】
薬莢７、より一般的には起爆剤２の容器は、好ましくは、低圧で開きかつ装置の使用前に起爆剤が水蒸気に接触することを防止する湿分シール９により封止される。起爆剤および推進剤に点火し、湿分シール９が低圧で開放されると、推進剤は、カートリッジヘッドと必要に応じて設けられるバースト膜３５との間の空間で燃焼し続ける。ブラスト膜は、ガス発生器をカートリッジヘッドから分離する。この空間に、同じタイプ或いは異なるタイプの補助推進剤を充填してもよい。
【００３０】
圧力が所定のレベルに達すると、ブラスト膜は開放され、起爆剤および推進剤の燃焼により発生した圧力によって、薬剤が装置から噴射され注射が行われる。
【００３１】
撃針５は、装置１１のハウジング部分に形成された孔に保持される。撃針５を起動させる機構は、撃針５を薬莢のリム６内へ駆動するプランジャ（図示せず）を具備している。安全リムによって製造工程で事故による撃針５の打擲が防止される。
【００３２】
本実施形態の変形例では、衝撃感応性起爆剤２は、変形可能なカップ、アンビル、起爆剤２より成り、起動時に撃針５がカップを窪ませ起爆剤２をアンビルに対して破砕する中心点火起爆装置の一部を形成する。
【００３３】
好ましい更なる実施形態では、起爆剤２の点火によってのみ十分な体積、圧力のガスが生成され、装置１１により注射を行うために保持推進剤を必要としない。
【００３４】
好ましい更なる実施形態では、起爆剤２が点火することによって高速、高圧の第１のパルスが生成されて注射が開始し、同時に、低速燃焼の推進剤に点火されて、低い圧力が長期間発生して注射が完了する。
【００３５】
薬莢７は開口端部を有している。好ましい実施形態では、薬莢７の開口端部は、脆弱閉蓋、例えば、装置の使用以前に水蒸気が薬莢内に浸透することを防止する湿分シール９によってシールされる。
【００３６】
推進剤は必ずしも全て薬莢７内に収容される必要はない。好ましい実施形態では、少なくとも一部の推進剤２４ａが薬莢７内に充填され、推進剤２４の他の部分２４ｂは薬莢７の外部に配設されている。薬莢７内に配置されている推進剤の部分２４ａは、好ましくは、薬莢７の外部に配置されている推進剤の部分２４ｂとは異なる性質を有している。
【００３７】
好ましい実施形態において、起爆剤２は、装置１１の使用前に起爆剤２が水蒸気に接触することを防止する脆弱性の閉蓋９によりシールされる。
【００３８】
既述した注射装置１１は異なる構成とすることができる。
図１は、該装置を一回使用の構成とした、つまり装置を一回のみ使用して使用後に廃棄される装置１１の構成の一例を示す断面図である。
【００３９】
図２に示す注射装置１１は、例えば薬莢から形成される第１のハウジング部分２０と、例えばポリカーボネートから形成される第２のハウジング２１から成るハウジングを具備している。ハウジング部分２０、２１は、互いに係合して連結するネジ部分３０を有している。
【００４０】
好ましい実施形態において、装置１１のハウジングは、全体が通常の注射圧力よりも高い初期圧力に降伏することなく耐えるような形状、寸法を有している。
【００４１】
好ましい実施形態において、装置１１のハウジングの部分２０、２１は、ハウジングが有すべき機械的特性を特に考慮して適当なプラスチック、例えば利用可能なポリエステルまたはポリカーボネートから形成されている。
【００４２】
装置１１のハウジングの内部には、第１と第２の室３１、３２が設けられており、該室は、例えば支持部材２８の各空洞部分によって画成される。
【００４３】
支持部材２８は、好ましくは、機械的応力を受けたときに壊れたり降伏しない剛性のプラスチック材料から形成されている。支持部材２８は、例えば上述した特性を有した熱可塑性ポリエステルまたはポリカーボネートから形成される。
【００４４】
ノズル１５を有した投薬ユニット１３および変形可能な壁１４から形成された薬剤容器１２が第１の室３１内に配設されている。注射すべき量の液体が投薬ユニット１３内に収容されている。好ましい実施形態では、その体積は５０から１０００マイクロリットルである。この量の一例は、２００または５００マイクロリットルである。
【００４５】
投薬ユニット１３は、互いに連通した第１と第２の領域を有している。第１の領域は変形可能で、可撓性壁１４により閉鎖された容器を備えている。投薬ユニット１３の第２の領域は、流体通路１６を有したノズル１５を備え、流体通路１６の先端には、液体ジェット出口として作用するオリフィス１７が形成されている。装置１１により注射が実行されると、液体ジェット出口から注射すべき液体が噴射される。投薬ユニット１３は、感応性タンパク薬物(sensitive protein drugs)を含む医薬品を収容するのに適した、例えばポリエチレンやポリプロピレン等の１または複数の適当な材料から形成される。
【００４６】
容器の壁１４の一部は、ノズル本体１５のジェットオリフィス１７をカバーする破損保護キャップ１９を形成している。キャップ１９は、注射装置１１の使用の直前にユーザにより取り外される。
【００４７】
第１の室３１は２つの領域から成り、第１の領域３３は投薬ユニット１３を含み、第２の領域３４は投薬ユニットと第２の室３２との間に配設されている。第１の室３１は、第２の室３２と連通しており、第２の室３２内に配置されている推進剤２４の点火に際して発生したガスが第１の室３１の第２の領域３４内へ膨張し、投薬ユニット１３の第１の領域の変形可能な壁１４に圧力が作用し、該壁が変形して、流体通路１６およびオリフィス１７を通して液剤が噴射される。
【００４８】
好ましい実施形態では、変形可能な伸縮材料から成るバリア１８によって、第１の領域３３は第２の領域３４から分離される。前記バリアは、例えばシリコンゴムから形成され、またアラミド繊維の織物により補強することができる。
【００４９】
支持部材２８は、第１の室３１を第２の室３２から分離する壁を有している。これは、第２の室３２内の圧力が所定値を越えたときに破裂する破裂膜として作用する薄肉部３５を有している。
【００５０】
投薬ユニット１３と破裂膜３５を有した支持部材２８との間の空間は、推進剤を装置内に収容するために利用可能な空間よりも格段に小さい。
【００５１】
図２は図１に示した装置１１の構成要素の分解断面図である。
図３は、装置１１を縮小して示す図１と同様の図である。
図４、５は、異なる方向に見た装置１１の分解断面斜視図である。
図６、７は、図４、５に対応した装置１１の組立断面斜視図である。
【００５２】
以下、異なる点火手段を備えた他の実施形態の説明において、注射装置の構成の他の例を示す。図１〜７を参照して上述した点火手段は、注射装置の構成の他の例にも適している。
【００５３】
既述したタイプの注射装置１１はアプリケーション装置４９と組み合わせて使用される。このアプリケーション装置は、撃針５を薬莢のリム６へ駆動する駆動ピンを打擲するためのプランジャを有した撃針機構を備えている。以下、図８〜１６を参照して、こうしたアプリケーション装置４９の一例を説明する。
【００５４】
アプリケーション装置４９は、メインスプリング４３により約１７０ミリジュールのエネルギを以て撃針５へ向けて駆動され衝接するプランジャ４２と、液体を噴出するためのオリフィス１７が設けられている装置１１の端部を注射位置へ向けて押圧することにより作動するトリガー機構とを具備している。アプリケーション装置４９は、装置１１の後方部へねじ込み可能な独立したモジュールとして製造される。
【００５５】
アプリケーション装置４９の構成は図８〜図１２に示されている。
図８に示すように、アプリケーション装置４９は、プラスチック成型品であるプランジャハウジング４１を具備している。プランジャハウジング内には衝接プランジャ４２とメインスプリング４３とが収容されており、プランジャハウジングは、衝接プランジャ４２をその初期位置から撃針５に衝接するよう案内する。プランジャハウジング４１には、また、初期位置にある衝接プランジャ４２に係合してこれを保持するラッチ指４４が形成されている。ハウジング４１は、また、複数のラッチ組立体４５を含んでおり、該ラッチ組立体はプランジャハウジング４１に沿ってスライドする押圧シェル４７を保持する。
【００５６】
衝接プランジャ４２は、プランジャハウジング４１内にスライド自在に配設された、例えば鋼製の押し込み部材である。衝接プランジャ４１は、圧縮されたメインスプリング４３によって撃針５の方へ付勢され、かつ、ラッチ指４４によって初期一に保持されている。メインスプリング４３は、線径０．５５ミリメートル、外径７．６２ミリメートル、自由長５０．８ミリメートルの一般的な部品である。
【００５７】
ラッチ指４４と衝接プランジャ４２との境界のカム面４６には、メインスプリング４３によってラッチ指４４を半径方向外方へ付勢する力が作用する。初期位置では、押圧シェル４７と保持プランジャ４２とにより、ラッチ指４４は拘束されている。
【００５８】
押圧シェル４７は、例えばプラスチック成型品より成り、アプリケーション装置４９の外側のハウジングを形成する。押圧シェル４７は、プランジャハウジング４１上にスナップ式に配置され、検知スプリング５１により後方へ予荷重が印加されている。検知スプリング５１により、注射装置を起動するために与えるべき力を検知し、これによって注射が行われる。
【００５９】
プランジャハウジング４１から突出する安全ラッチ５２が押圧シェル４７に形成された切欠部に係合し、これによって、押圧シェル４７がスライドして衝接プランジャ４２が解放されてしまうことを防止している。安全ラッチ５２は、押圧シェル４７を時計回りの方向へ回転させることによって、注射の直前に係合が解除される。
【００６０】
プラスチック成型品より成るエンドキャップ５３が、押圧シェル４７にスナップ式に装着され、アプリケーション装置４９の端部が閉鎖される。エンドキャップ５３は、アプリケーション装置４９の機能には必要ではなく、単に美観上の目的から設けられている。
【００６１】
以下、図１３〜図１６を参照して、注射装置１１の撃針５に衝撃を与えるための機構としてのアプリケーション装置４９の作用を説明する。
図１３は、輸送時の組み立てられた注射装置１１とアプリケーション装置４９を示している。アプリケーション装置４９は、安全ラッチ５２を係合させて、着脱自在の保護キャップ１９によってノズルをカバーした状態で輸送される。
【００６２】
使用の直前に保護キャップ１９が取り外され、押圧シェル４７を回転して安全ラッチ５２が解除される。この時点で、押圧シェル４７はプランジャハウジング４１上をスライドしてラッチ指４４を解放することが可能となっている。
【００６３】
注射するために、ユーザは押圧シェル４７を把持し、注射装置１１のノズル１５を注射位置に対して押圧する。押圧シェル４７は前方へスライドし、ラッチ指４４が押圧シェル４７の後方部の環状のカム面４６に接近する。ユーザが与えた力は、この時点までで検知スプリング５１により検知される。
【００６４】
ラッチ指４４がカム面４６に到達すると、衝接プランジャ４２が解放されるときに、衝接プランジャ４２の動作およびメインスプリング４３によってラッチ指４４は押し出される。ラッチ指４４の半径方向の動作とカム面４６との相互作用によって、押圧シェル４７は更に前方へ移動する。注射器が急激に中心よりも移動することによって、ユーザはこれを感知する。
【００６５】
既述のようにして衝接プランジャ４２が解放されると、該衝接プランジャは、撃針５へ到達しこれに衝接するまで、メインスプリングによって加速される。撃針５は、動力源（起爆剤２）に衝接、点火し注射が行われる。
【００６６】
アプリケーション装置は、一回使用の装置または使用ごとに引き戻して再使用可能な衝撃点火装置とすることができる。
【００６７】
既述の説明から理解されるように、アプリケーション装置４９は、スナップ式に組み立てられるプラスチック成型品、線スプリング、鋼製プランジャから形成されている。これらの構成要素は安価で、また、アプリケーション装置４９の構造は高速自動組立に適している。アプリケーション装置４９の組立、検査が完了すると、該アプリケーション装置は、ネジ式に注射装置１１に連結される。安全性および使用し易さを考慮した構造となっている。
【００６８】
輸送時に、アプリケーション装置４９の押圧シェル４７は、その後方位置で係止されている。ラッチ指４４が衝接プランジャ４２と係合して保持され、注射装置１１が脱落したとしても、偶発的に作動したりしないようになっている。
【００６９】
スライド自在の押圧シェル４７および検知スプリング５１は、作動させるために意識的に動かさなければならず、解放された衝接プランジャ４２が中心を越えて移動することにより、ユーザは注射がなされたことを感触により知ることができる。
【００７０】
実施例２
図１７〜図２４に、図１の注射装置１１に類似する構成の注射装置の一部として使用するのに適した点火手段の第２の実施形態を示す。
【００７１】
後述する異なる点火手段を備えた他の実施形態において、注射装置の構成の他の例を説明する。図１７〜図２４を参照して以下に説明する点火手段は、これら他の例による注射装置にもまた適している。
【００７２】
図１７は、図１の注射装置１１の構成に類似する構成を有した注射装置の一部を示した図である。点火手段として図１に示した撃針５および衝撃感応性起爆剤２は、図１７ではガラス製のスナップロッド点火器６１により置換されている。
【００７３】
点火器６１は、推進剤室６３の後方部分を気密に閉塞する点火プレート６２に適当に形成された開口部内に挿入、保持されている。
点火器６１は第１の本体として屈曲、変形可能な金属管６４を具備し、該金属管の内部は推進剤室６３に連通している。
【００７４】
点火器６１の構成を一層詳細に示す図１８から理解されるように、第２の本体としてのガラス製のスナップロッド６５が金属管６４内に配設されており、スナップロッド６５の外表面の一部が金属管６４の内面の一部に対面し、かつ、該内面の一部から離間しており、両面間にエアーギャップ７０が形成される。中心位置決め用ラグ部分５８、５９がスナップロッド６５の両端に設けられており、これによって前記内外面部分の間の空間が確実に維持される。ラグ部分５８、５９には、ガスを軸方向に流通させる通路を提供する複数のスロットが形成されている。
【００７５】
スナップロッド６５は、ある程度弾性を有し撓むことができるが、所定の閾値を越える曲げに対しては折れてしまう。
【００７６】
上記対面する２つの表面部分の双方または一方は、衝撃感応性の煙火材料６６によって被覆されている。図１８に示す例では、スナップロッド６５の中心領域の外表面が衝撃感応性の煙火材料６６によって被覆されている。好ましい実施形態では、スナップロッド６５の周囲に破断点を形成する周溝が設けられている。
【００７７】
好ましい実施形態では、これら対面する表面部分の一方を衝撃感応性の煙火材料によって被覆し、他方を二次点火剤によって被覆する。
他の好ましい実施形態では、これら対面する表面部分の双方または一方を衝撃感応性の煙火材料の層および二次点火剤の層によって被覆する。
【００７８】
金属管６４が図１９に示すように僅かに撓むと、金属管６４およびその内部に配設されたスナップロッド６５の双方が、機械的エネルギを蓄積しながら弾性変形するが、金属管６４およびスナップロッド６５が所定の閾値を越えて撓むと、スナップロッド６５は、図２０に示すように、その破断点において破断し、上述した金属管６４およびスナップロッド６５の表面部分が互いに衝接し、これら表面の双方または一方に被覆されている衝撃感応性の煙火材料に点火される。この点火によって高温ガスとスパークが生成され、推進剤室６３に収容されている推進剤に点火される。金属管６４のは起動ボタン等によって曲げられる。
【００７９】
図１８に示すように、金属管６４は閉鎖された端部６７と、開いた円錐状の端部６８とを有し、該端部の先端は、推進剤室６３に向けて開いた出口７１となっている。金属管６４は、スナップロッド６５を金属管６４内で所定の軸方向位置に保持すると共にスナップロッド６５が破断したときにロッド小片を保持するための保持クリンプ部６９を有している。
【００８０】
好ましい実施形態では、出口７１は、点火器６１の使用に先立って金属管６４内への水蒸気の侵入を防止するための脆弱な湿分シール部材７２によってシールされている。
【００８１】
更に他の好ましい実施形態では、二次点火剤７３、例えば伝爆薬混合物を金属管６４の外部の金属管６４の出口７１の近傍に配設して、衝撃感応性煙火材料６６の燃焼生成物によって二次点火剤が点火され、以て推進剤室６３の推進剤を点火するための高温生成物の量を増加するようになっている。
【００８２】
他の好ましい実施形態では、二次点火剤７３、例えば伝爆薬混合物を金属管６４の内部の金属管６４の出口７１の後方に配設して、衝撃感応性煙火材料６６の燃焼生成物によって二次点火剤が点火され、以て推進剤室６３の推進剤を点火するための高温生成物の量を増加するようになっている。
【００８３】
図２１は、点火プレート６２内に挿入した点火器６１の斜視図である。図２２は、図２１に示した構成要素の分解斜視図である。
図２３、２４は、異なる方向から見た図２１、２２と同様の図である。
【００８４】
実施例３
図２５〜図３３に、図１の注射装置１１に類似する構成の注射装置の一部として使用するのに適した点火手段の第３の実施形態を示す。本実施形態は、図２５〜図３０を参照して説明する点火器８１と、点火器８１の外表面に形成したスポット８２に機械的に衝接する手段とを具備している。スポット８２は、点火衝接領域に配置されている。スポット８２に機械的に衝接する手段は、図３１〜図３３を参照して後述する。
【００８５】
点火装置の他の例は、異なる点火手段を具備した他の実施形態の説明で後述する。図２５〜図３３を参照して後述する点火手段は、これら点火装置の他の例にも適している。
【００８６】
図２５は、図１に示した点火装置と同様の構成を有した点火装置の一部を示しており、点火手段として図１に示した撃針５および衝撃感応性起爆剤２は、図２５では後述する点火器８１により置換されている。
【００８７】
点火器８１は、推進剤室６３の後方部分を気密に閉塞する点火プレート６２に適当に形成された開口部内に挿入、保持されている。
点火器８１は第１の本体として屈曲、変形可能な金属管８４を具備し、該金属管の内部は推進剤室６３に連通している。
【００８８】
点火器８１の構成を一層詳細に示す図２６から理解されるように、第２の本体としての金属製のアンビルピン８５が金属管８４内に配設されており、アンビルピン８５の外表面の一部が金属管８４の内面の一部に対面し、かつ、該内面の一部から離間しており、両面間にエアーギャップ８０が形成される。アンビルピン８５の一端部８７が、保持クリンプ部７９によって金属管８４の閉塞された端部に保持されている。中心位置決め用ラグ部分７８がアンビルピン８５の反対側の端部に設けられており、これによって前記内外面部分の間の空間が確実に維持される。
【００８９】
アンビルピン８５の外表面の中央領域は、衝撃感応性煙火材料８６によって被覆されている。
好ましい実施形態では、これら対面する表面部分の一方を衝撃感応性の煙火材料によって被覆し、他方を二次点火剤によって被覆する。
他の好ましい実施形態では、これら対面する表面部分の双方または一方を衝撃感応性の煙火材料の層および二次点火剤の層によって被覆する。
【００９０】
後述する機械的手段によって、金属管８４の外表面のスポット８２に衝撃を与えると、衝撃感応性煙火材料８６に衝撃が与えられ、この煙火材料に点火される。この点火による生成物によって推進剤室６３の推進剤に点火される。
【００９１】
図２６に示すように、金属管８４は、閉鎖された端部と開いた円錐状の端部８８とを有し、該端部の先端は、推進剤室６３に向けて開いた出口９１となっている。金属管８４は、アンビルピン８５を金属管８４内で所定の軸方向位置に保持するための保持クリンプ部７９を有している。
【００９２】
好ましい実施形態では、出口９１は、点火器８１の使用に先立って金属管８４内への水蒸気の侵入を防止するための脆弱な湿分シール部材９２によってシールされている。
【００９３】
更に他の好ましい実施形態では、二次点火剤９３、例えば伝爆薬混合物を金属管８４の外部の金属管８４の出口９１の近傍に配設して、衝撃感応性煙火材料８６の燃焼生成物によって二次点火剤が点火され、以て推進剤室６３の推進剤を点火するための高温生成物の量を増加するようになっている。
【００９４】
他の好ましい実施形態では、二次点火剤９３、例えば伝爆薬混合物を金属管８４の内部の金属管８４の出口９１の後方に配設して、衝撃感応性煙火材料８６の燃焼生成物によって二次点火剤９３が点火され、以て推進剤室６３の推進剤を点火するための高温生成物の量を増加するようになっている。
【００９５】
図２７は、点火プレート８２内に挿入した点火器８１の斜視図である。図２８は、図２７に示した構成要素の分解斜視図である。
図２９、３０は、異なる方向から見た図２７、２８と同様の図である。
【００９６】
図２５〜図３０を参照して上述した実施形態の単純化した変形例では、装置は金属製のアンビルピン８５を含んでいない。この単純化した実施形態では、金属管８４の内面の一部が衝撃感応性煙火材料によって被覆されている。例えば後述する手段によって、金属管８４において衝撃感応性煙火材料が被覆されている内面部分の反対側の外表面のスポットに機械的衝撃が加わると、この衝撃によって衝撃感応性煙火材料が点火され、その点火による生成物によって推進剤に点火される。
【００９７】
以下、図３１〜図３３を参照して、点火器８１の外表面に衝撃を与えるためのバネ式の衝接ストライカ機構を説明する。
【００９８】
図３１〜図３３に、図１を参照して説明したタイプで図２５〜図３０を参照して説明した点火器８１を具備した注射装置１１の後方斜視図である。図３１は、また、トリガーがラッチを解放したときに、点火器８１の外表面のスポットに衝撃を与えるためのバネ機構を示している。
【００９９】
バネ式のストライカは、２つのＬ形の腕部１０２を有したトーションスプリングコイル１０１を具備している。リリースラッチ１０３によって、該スプリングは図３１に示す初期状態にセットされる。このバネ式のストライカは、更に、捻れバネ１０１が意図せず作動することを防止する２つのトリガーガードプレート１０５、１０６を具備している。図３１、３２において、トリガーガードプレート１０５は、トーションスプリング１０１および衝撃感応性点火器８１が見えるように破断されている。
【０１００】
既述したトーションスプリングは、該コイルスプリングを停止部材１０７へ向けて押圧して、スプリング１０１のＬ形の腕部をリリースラッチ１０３から脱離させ、支持部１０８によって支持されている点火器８１の感応領域にＬ形の腕部を衝接させる。
【０１０１】
点火器８１は、カートリッジの後方から突き出しており、点火器８１の金属管８４内に収容されている煙火材料の上方に配置されている点火器の衝撃感応領域が、バネ式のストライカからの衝撃を受ける。金属管への衝撃を高めるために、点火器８１は、捻れバネ１０１のＬ形の腕部が衝接する位置の下側に配置されている支持部１０８によって支持されている。
【０１０２】
捻れバネ１０１は、Ｌ形の腕部１０２を広げて２つの切欠またはラッチ、すなわち解放リリースラッチ１０３とピボットノッチ１０４に引っ掛けることによって、注射装置１１のカートリッジハウジングの後方に装着される。
【０１０３】
解放リリースラッチ１０３は、コイルスプリング１０１が押し下げられたときに、上側のＬ形の腕部１０２が該解放リリースラッチ１０３から脱離して、高速で点火器８１に衝接するようになっている。下側のノッチ１０４は、回動中心として作用する。
【０１０４】
使用に際して、注射装置１１のカートリッジの後方部分が使い捨てのホルダ（図示せず）または再使用可能なホルダ（図示せず）に挿入される。このホルダは、トーションスプリングコイル１０１に係合する下部または底部を含んでいる。ユーザがレバーまたはボタンを押下すると、その動作がトーションスプリングコイル１０１を起動する。
【０１０５】
既述したバネ式の衝接ストライカは以下の利点を有している。
捻れバネ１０１は、高い固有周波数を有しており、許容できる応力レベルで高速、高エネルギの衝撃を発生する。
スプリングに要求される一般的な等級は、安価で広く入手可能である。
【０１０６】
解放ラッチ、ピボットノッチおよびトリガーガードは、注射装置１１のカートリッジハウジングの一部として射出成形によって形成することができ、従って、製造コストの増加は極僅かである。
【０１０７】
バネ機構を作動させるためには単純に押すだけ出よく、非常に単純なホルダ機構でこうした作用を実現できる。
図２５〜図３３を参照して説明した点火手段は、針を持たない注射装置の種々の実施例、例えば、図３４〜図３７に示す実施形態と共に使用可能である。これらの図の各々に示す注射装置は、既述した構成を有した点火器８１を具備している。図３１〜図３３を参照して説明した点火器８１の外表面に衝撃を与えるためのバネ式の衝接ストライカは、これらの注射装置の各々で使用することができるが、図３４〜図３７には示されていない。
【０１０８】
図３４は、図１〜図３を参照して説明した実施例１と同様の構成を有した注射装置を示している。
図３５は、同様の構成を有した注射装置を示しているが、推進剤室６３を注射装置において薬剤容器を配置した領域から分離するための壁または膜は配設されておらず、推進剤室６３内に発生した圧力は、変形可能な弾性バリア１８に、従って、薬剤容器１２の変形可能な壁１４に直接作用する。
【０１０９】
図３６は、推進剤、例えば点火器８１ので次ぎ近傍に配設された点火層１１２を備えた一体形推進剤１１１を使用する点火装置を示している。図３６に示す点火装置は、ノズル本体１１３と剛性のハウジング１１４とを具備している。ハウジング１１４は、前記ノズル本体を受承し該ノズル本体に連結される第１の開口端部と第２の閉鎖端部とを有している。ハウジング１１４の内部には、前記ハウジング１１４の開口端部と閉鎖端部との間に設けられた室が画成されている。この室は、第１と第２の変形可能なダイヤフラム１１５、１１６を受承する。第１のダイヤフラムは、前記ノズル本体の空所と共に、所定量の薬剤を収容するのに適した薬剤室１１９を画成する。第２のダイヤフラムの一部は第１のダイヤフラム１１５の一部に沿って延設されている。第２のダイヤフラム１１６とハウジング１１４は、推進剤および該推進剤を点火するための手段を収容する室を形成する。ノズル本体１１３は、その外側の端部にオリフィス１１７が形成されており、該オリフィスは、推進剤１１１の点火により発生するガス圧力が第２のダイヤフラム１１６に、従って第１のダイヤフラム１１５に作用したときに、室１１９から薬剤を噴出させるための出口となっている。使用前には、オリフィス１１７は取外可能な剥離フォイルシールタブ１２０によってシールされている。
【０１１０】
好ましい実施形態では、ノズル本体１１３および剛性のハウジング１１４は、後方の開口部を有した単一の部品として一体的に形成されており、１つの或いは同じ材料から形成されう。前記後方開口は、適当な点火組成物を保持する点火プレートにより閉鎖される。
【０１１１】
図３７は、剛性の薬剤容器１２１と、これに連結可能なハウジング部１２９とを具備する注射装置を示している。図３７に示す注射装置は、液薬を収容する薬剤領域１２２、出口オリフィス１２４を有し薬剤領域１２２に連通したノズル１２３、推進剤１２６を配置した推進剤領域１２５、推進剤領域１２５を薬剤領域１２２に連通させる通路１２７、通路１２７内に適切に配置されたピストン１２８とを具備している。推進剤１２６が点火されると、推進剤の燃焼により発生するガス圧力がピストン１２８に作用し、ピストン１２８が移動し、薬剤領域１２２内の液薬に圧力が作用し、ノズル１２３のオリフィス１２４から薬液が噴出する。
【０１１２】
図３７の実施形態の修正例であは、ピストン１２８は、例えば、薬剤に接触するのに適した第１の材料から形成された前部と、推進剤の燃焼により生成される高温ガスと接触するのに適した異なる第２の材料から形成された後部とを有したピストン、或いは、注射プロセスが開始されるまで分離した２つの独立した部品、例えば薬剤に接触する前部と、推進剤の近傍に配置された後部から成るピストンによって置換されている。後者の場合、推進剤の燃焼によって発生する圧力によりピストンの後部が加速され、これによって、この後部がピストンの前部に衝接し、次いで、薬剤領域１２２内に収容されている液薬に圧力が作用し、ノズル１２３のオリフィス１２４から薬剤が噴出する。
【０１１３】
実施例４
図３８〜図４４に、図１の注射装置１１に類似する構成の注射装置の一部として使用するのに適した点火手段の第４の実施形態の一例を示す。図４５〜図５０は、点火手段の第４の実施形態の他の例を示している。
【０１１４】
点火装置の他の例は既に説明したが、異なる点火手段を具備した他の実施形態のの説明で後述する。図３８〜図４４を参照して後述する点火手段は、これら点火装置の他の例にも適している。
【０１１５】
図３８は、図１に示した点火装置と同様の構成を有した点火装置の一部を示しており、点火手段として図１に示した撃針５および衝撃感応性起爆剤２は、後述する点火器１３１により置換されている。
【０１１６】
点火器１３１は、推進剤室６３の後方部分を気密に閉塞する点火プレート６２に適当に形成された開口部内に挿入、保持されている。
【０１１７】
点火器１３１の構成を一層詳細に示す図３９から理解されるように、点火器１３１は、第１の本体として屈曲、変形可能な金属管１３４を具備し、該金属管の内部は推進剤室６３に連通している。点火器１３１は、金属管１３４内に配設され両端が閉鎖された第２の管１３５を更に具備しており、第２の管１３５の外表面が第１の管１３４の内面から離間している。第２の管１３５は、例えば、脆弱なガラスアンプルであり、第１の管１３４が所定の閾値を越えて曲がったときに壊れるようになっている。第２の管１３５は、自然発火性の対体(hypergolic pair)の第１の部材１３６を収容している。第１の部材１３６は、自然発火性の流体、例えば液体または気体である。
【０１１８】
前記自然発火性の対体の第２の部材１３７は、第１の管１３４の内面と第２の管１３５の外表面との間の空間に収容されている。第２の部材１３７は、例えば自然発火性の粉体である。
【０１１９】
混合すると直ちに発火、燃焼する自然発火性の対体をなす化学物質がある。例えば：
塩化カリウムと糖の混合物（粉体）に加えた硫酸（液体）
空気に加えたトリエチルアルミニウム（揮発性の液体）
過マンガン酸カリウム（粉体）に加えたグリセリン（液体）
である。
【０１２０】
図４０は、第１の管１３４が閾値を越えて撓み、第１の管１３４の湾曲により第２の管１３５が壊れた状態を示している。これが生じると、自然発火性の対体の第１の部材１３６と第２の部材１３７が互いに接触し、化学反応によって点火し、該点火による生成物によって推進剤室６３の推進剤に点火される。点火器１３１は、押釦または同様の手段によって管１３４を一方側へ撓ませることによって作動する。
【０１２１】
図３９に示すように、管１３４は閉鎖された端部と、開放された円錐状の端部１３８とを有し、該開放された端部の先端は、推進剤室６３に向けて開いた出口１４１となっている。管１３４は、管１３５および第２の自然発火性部材１３７を管１３４内で所定の軸方向位置に保持する保持クリンプ部１３９を有している。管１３５は、管１３４の壁に形成された複数の小凹点(dimples)により所定位置に固定される。
【０１２２】
好ましい実施形態では、出口１４１は、点火器１３１の使用に先立って管１３４内への水蒸気の侵入を防止するための脆弱な湿分シール部材１４２によってシールされている。
【０１２３】
更に他の好ましい実施形態では、二次点火剤１４３、例えば伝爆薬混合物を管１３４の内部の管１３４の出口１４１の近傍に配設して、自然発火性部材の点火による生成物によって二次点火剤１４３が点火され、以て推進剤室６３の推進剤を点火するための高温生成物の量を増加するようになっている。
【０１２４】
図４１は、点火プレート６２内に挿入した点火器１３１の斜視図である。図４２は、図４１に示した構成要素の分解斜視図である。
図４３、４４は、異なる方向から見た図４１、４２と同様の図である。
【０１２５】
図４５は、図３８に示した注射装置と同様の構成を有した点火装置の一部を示しており、本実施形態では、異なる構成を有した点火器１５１が点火プレート６２に挿入、保持されている。
【０１２６】
図４６に示すように、点火器１５１は、閉鎖端部と開放端部とを有した細長い容器１５４を具備ししている。開放端部を通して、容器１５４は、推進剤を配置した装置内の所定量域に連通している。容器１５４は、変形可能で撓むことができる。
【０１２７】
容器１５４内には、第１と第２の管１５５、１５７が収容されている。管１５５、１５７は双方とも両端において閉じられ容器１５４内に配置されている。第１の管１５５には、自然発火性の対体の第１の流体１５６が収容されており、第２の管１５７には、自然発火性の対体の第２の流体１５８が収容されている。
【０１２８】
管１５５、１５７は、例えば、脆弱なガラスアンプルであり、第１の管１３４が所定の閾値を越えて曲がったときに壊れるようになっている。管１５５、１５７は閉じられているので、自然発火性の部材１５６、１５８のための優れた容器となっている。
【０１２９】
図４７は、容器１３４が閾値を越えて撓み、管１５４の湾曲により管１５５、１５７が壊れた状態を示している。これが生じると、自然発火性の対体の第１の部材１５６と第２の部材１３８が互いに接触し、化学反応によって点火し、該点火による生成物によって推進剤室６３の推進剤に点火される。
【０１３０】
好ましい実施形態では、二次点火剤を管またはアンプル１５５、１５７の破断点の近傍に配設して、自然発火性部材の点火による燃焼生成物によって二次点火剤が点火され、以て推進剤室６３の推進剤を点火するための高温生成物の量を増加するようになっている。
【０１３１】
更に他の好ましい実施形態では、二次点火剤、例えば伝爆薬混合物を容器１５４の外部の容器１５４の出口の近傍に配設して、自然発火性部材の点火による生成物によって二次点火剤が点火され、以て推進剤室６３の推進剤を点火するための高温生成物の量を増加するようになっている。
【０１３２】
他の好ましい実施形態では、二次点火剤１６３、例えば伝爆薬混合物を容器１５４の内部の容器１５４の出口１６１の近傍に配設して、自然発火性部材の点火による生成物によって二次点火剤１６３が点火され、以て推進剤室６３の推進剤を点火するための高温生成物の量を増加するようになっている。
【０１３３】
更に、好ましい実施形態では、出口１６１は、点火器１５１の使用に先立って容器１５４内への水蒸気の侵入を防止するための脆弱な湿分シール部材１６２によってシールされている。
【０１３４】
図４８は、点火プレート６２内に挿入した点火器１５１の斜視図である。
図４９は、異なる方向から見た図４８と同様の図である。
図５０は、図４８、４９に示した構成要素の分解斜視図である。
【０１３５】
実施例５
図５１〜図５５に、図１の注射装置１１に類似する構成の注射装置の一部として使用するのに適した点火手段の第５の実施形態の一例を示す。
【０１３６】
後述する異なる点火手段を備えた他の実施形態において、注射装置の構成の他の例を説明する。図５１〜図５５を参照して以下に説明する点火手段は、これら他の例による注射装置にもまた適している。
【０１３７】
図５１は、図１に示した注射装置１１に類似する構成を有した注射装置の一部を示しているが、本実施形態では、点火手段として図１に示した撃針５および衝撃感応性煙火材料２は、後述する点火装置により置換されている。この点火装置は安全マッチ化学を利用している。
【０１３８】
図５１に示す点火装置は、回転体１７１、静止体１７２、回転体１７１の少なくとも一部を静止体１７２に押圧する押圧手段１７３、係止位置にあるときに回転体１７１の回転を防止する係止ピン１７４、係止ピン１７４が解除位置にあるときに回転体１７１を回転させる駆動手段１７５を具備している。少なくとも回転体１７１の外表面の一部または少なくとも静止体１７２の外表面の一部が、摩擦により活性化して燃焼し火炎を発する燃焼性混合物により被覆されている。押圧手段により、回転体１７１の外表面の一部が静止体１７２に接触する。
【０１３９】
係止ピン１７４が解除位置にあるとき、駆動手段１７５によって回転体１７１が回転する。押圧手段１７３による押圧作用によって、回転体が回転すると、燃焼性混合物は静止体１７２の外表面に対して擦れ、該混合物に点火して、この点火による生成物により推進剤室６３の推進剤に点火する。
【０１４０】
回転体１７１は、例えば、点火プレート６２の一部として成形されたアンカーポスト１７５上で回転可能な２つの腕部を有したマッチである。これらの腕部の先端は、酸化剤、燃料、結合剤を含むマッチ材料により被覆されている。
【０１４１】
一例として、静止体１７２は、燃料、例えば赤燐および結合剤を含む燃料により被覆された静止衝接リングである。
【０１４２】
押圧手段による摩擦作用をなす手段一例は、圧縮トーションスプリング１７３を含む。この圧縮トーションスプリングは、回転マッチ１７１を衝接リング１７２に対して付勢すると共に、回転マッチ１７１にトルクを印加するように巻設されている。
【０１４３】
圧縮トーションスプリング１７３の反対側の端部１７６は、アンカーポスト１７５の端部に係止されている。
【０１４４】
係止手段は、例えば、点火プレート６２に形成された小孔内に押入され回転マッチ１７１のラグ部に係合して、圧縮トーションスプリング１７３により印加されているトルクによって回転を防止する引きピン１７４である。
【０１４５】
点火プレート６２および上述した点火装置は、推進剤容器２３の後方部分を閉塞する。
回転マッチ１７１および圧縮トーションスプリング１７３は、推進剤が装填されている推進剤室６３内に配設されており、引きピン１７４はハウジング部２１に形成されたスロットを通して延設されている。引きピン１７４のフランジ部１７７は、該ピンの外方への移動を制限する停止部として作用する。
【０１４６】
ピン１７４が引かれると、圧縮トーションスプリング１７３により回転マッチ１７１が衝接リング１７２に対して回転する。燃料、例えば衝接リング１７２上の赤燐と酸化剤、例えば回転マッチ１７１上のマッチ混合物、或いは、衝接リング１７２上のマッチ混合物と回転マッチ１７１上の赤燐との間の化学反応によって、点火して火炎を生じ、推進剤室６３の推進剤に点火される。
【０１４７】
図５２は、点火プレート６２に組み付けた上記点火装置の斜視図である。
図５３は、図５２の構成要素の分解斜視図である。
図５４、５５は、異なる方向から見た図５２、５３と同様の図である。
【０１４８】
好ましい実施形態では、回転体１７１および静止体１７２は、塗布されている材料が湿ることを防止するために脆弱な閉蓋（図示せず）により閉じられている。
他の好ましい実施形態では、回転体１７１と静止体１７２の接触領域の近傍に二次点火剤（図示せず）が設けられている。
【０１４９】
実施例６
図５６に、図１の注射装置１１に類似する構成の注射装置の部分斜視図を示す。本実施形態では、点火手段として図１に示した撃針５および衝撃感応性煙火材料２は、後述する点火装置により置換されている。
【０１５０】
図５６に示すように、電極１８２、１８３がハウジング部２１および点火プレート６２に形成された小孔に挿通されるように、圧電スパーク発生器１８１が設けられている。これら電極のスパーク発生端部１８４、１８５は推進剤室６３内に配置され、一方、圧電スパーク発生器１８１の本体部分およびその押釦１８６は、ハウジング部２１の外部そして注射装置１１の外部に配置されている。
【０１５１】
数千ボルトの電圧で電気スパークを発生する小型の圧電点火モジュールが使い捨てライターとして広範に使用されている。これらの圧電点火モジュールは、単純にボタンを押下することにより作動する。その単純さ、コスト、信頼性から、こうした圧電点火モジュールは、上述した構成を有した無針注射装置の点火に適している。
【０１５２】
図５６を参照して上述した点火手段は、また、異なる点火手段を具備した上述の他の実施形態の注射装置の構成の他の例にも適している。
【０１５３】
１または複数の一体推進剤と上述した非電気的点火手段との組合せ
図５７は、一体形推進剤ペレットを有した注射装置の一例である。
図５７に示す注射装置は、ノズル本体１９１とプラスチック材料から成る剛性のハウジング１９２とを具備している。ハウジング１９２は、ノズル本体１９１を受承し該ノズル本体に連結される第１の開口端と、第２の閉鎖端とを有している。
【０１５４】
ハウジング１９２の内部空間は、該ハウジング１９２の開口端と閉鎖端との間に延設された室を形成する。この室には、第１と第２の変形可能なダイヤフラム１９３、１９６が収納されている。第１のダイヤフラムは、ノズル本体１９１の空所１９４と共に、所定量の薬剤を収容するのに適した薬剤室１９５を画成する。第２のダイヤフラムの一部は第１のダイヤフラム１９３の一部に沿って延設されている。第２のダイヤフラム１９６とハウジング１９２は、推進剤ペレット１９７および該推進剤ペレットを点火するための手段を収容する室を形成する。
【０１５５】
更に、ハウジング１９２内には、推進剤ペレット１９７に接触する或いは該推進剤ペレットの一部をなす点火層１９８が配設されている。該点火層は、図２５〜３３を参照して上述した点火器８１へ配設される。点火器８１は、点火プレート２０６に保持されている。
【０１５６】
ノズル本体１９１は、その外側の端部にオリフィス１９９が形成されており、該オリフィスは、推進剤ペレット１９７の点火により発生するガス圧力が第２のダイヤフラム１９６に、従って第１のダイヤフラム１９３に作用したときに、室１９５から薬剤を噴出させる通路２０１の出口となっている。
【０１５７】
ノズル本体１９１は、例えばポリプロピレンから形成され、第１の変形可能なダイヤフラム１９３は、例えばポリエチレンから形成される。ポリプロピレンもポリエチレンも多くの薬剤を長期間貯留するのに適しており許容することができる。
【０１５８】
図２２を参照して説明した例では、薬剤容器１９４、１９５には２００マクロリットルの薬剤が貯留される。
【０１５９】
図５７に示した注射器の構成の重要な特徴は、薬剤容器および推進剤の双方が実際上、単一の室内に収容されている点である。この構成は、熱損失、従ってエネルギ、つまり、注射を実施するために必要なガス圧力を生成するために必要な推進剤の両を最小限にする。本例では、薬２０ミリグラムのニトロセルロースベースの組成物に対応した推進剤が使用される。
【０１６０】
ノズル本体１９１のオリフィス１９９は取外可能なフォイルシール２０２によりシールされる。
この実施形態では、ハウジング１９２およびノズル本体１９１は、ネジ部２０５によって連結可能となっている。
【０１６１】
好ましい実施形態では、ノズル本体１９１および剛性のハウジング１９２は、後方開口部を有した単一の部品として１つの或いは同じ材料から一体的に形成される。後方開口部は、適当な点火装置を保持する点火プレートによって閉鎖される。
【０１６２】
他の実施形態では、ハウジング１９２は、第１の変形可能なダイヤフラム１９３の外縁部近傍に配置された排気口２０３を有している。推進剤１９７に点火され圧力が生成されると、この圧力は第２の変形可能なダイヤフラム１９６に作用し、該ダイヤフラムが第１の変形可能なダイヤフラムを押圧し、以て、薬剤容器１９４、１９５内に貯留されている薬剤に作用し、流体がノズルの通路２０１内に流入し、オリフィス１９９から噴射される。第１と第２のダイヤフラム１９３、１９６の間の空間は排気口２０３に連通しており、確実に加圧ガスが薬剤領域(medication volume)に接触できないようにしている。
【０１６３】
更に好ましい実施形態では、ハウジング１９２およびノズル本体１９１は、推進剤１９７の点火により発生する圧力に耐えるような形状、寸法に形成されている。
【０１６４】
ノズル本体１９１は、好ましくは、ノズル本体１９１の出口端部のオリフィス１９９において断面が最小となるようなテーパー状の外表面を有している。
図５７を参照して上述した実施形態を単純化した例では、第１のダイヤフラム１９３のみを備え、第２のダイヤフラム１９６は備えていない。
【０１６５】
本発明による装置の上記実施形態と共に使用可能な推進剤の例
以下、無針皮下注射器の既述の実施形態と共に使用可能な推進剤を、図５７を参照して説明した注射装置を一例として説明する。
【０１６６】
図５７の実施形態では、推進剤１９７は、一体型推進剤ペレットである。このペレットは、例えば、図５８に示す円筒状または柱状形状を有しており、注射を行うための主装薬を含んでいる。ペレットの特定形状は、ハウジング１９２内の所定位置に配置可能とする特徴、例えば点火器８１の出口とペレットとの間の良好な接触を確実にするような特徴を有している。
【０１６７】
本発明の範囲内で、推進剤ペレットは、予め計量された１または複数の煙火成分を含む継ぎ目のない構造を有している。こうしたペレットは、独立の構成要素としてガス発生器内で取り扱われ組み立てられる。こうした推進剤を用いることにより、粉状または液状の推進剤を計量し推進剤容器内に入れる必要がなくなる。上述した種の推進剤ペレットの好ましい実施形態は、ペレットの性能を高めるために、異なる特性を有した複数の領域を有している。ペレットは、例えば、ニトロセルロースベースの組成物から円筒状に形成され、該円筒の一端に点火混合物による被覆が設けられ、該一端部を点火器に隣接配置する。
【０１６８】
粉状の推進剤を用いた従来技術と比較して、一体型推進剤ペレットを使用することには、注射装置の製造プロセスが簡単化されるとの利点がある。と言うのは、特定の重量を有し注射装置のハウジング内に単に挿入される部品としてペレットが製造工程に供給され、ペレットを取り扱うための計量、充填機械が必要ないからである。反対に、粉状の推進剤は、製造工程の一部として計量されなければならず、この目的のために計量、充填機械が必要となる。
【０１６９】
ペレットの形状、材料については様々な形状、組合せが可能であり、性能調整に関する自由度と、種々の形状への装着性を提供する。
好ましい実施形態では、点火層１９８が推進剤ペレット１９７に接触させて、或いは、推進剤ペレット１９７の一体的部分として設けられている。点火層１９８は、推進剤１９７の点火に寄与すると共に、圧力パルスの初期の急速な立ち上がりに必要な付加的エネルギを提供する。
【０１７０】
図５８に示すように、推進剤ペレット１９７は、好ましくは、例えば、ペレット１９７を貫通し星形の断面を有した孔２０７を有している。この孔は表面を増加して急速な点火に寄与すると共に、ペレット１９７を通過するガスの通路を提供する。
【０１７１】
推進剤ペレット１９７の化学的組成および形状の例を以下に示す。
例Ａ
ペレット１９７は、長さ当りの重量を十分に規定したコードとして処理されたただ１つの等級の生綿または強綿薬から成る。前記コードを等間隔に切断することにより、予め決定した寸法、重量を有した円筒状のペレット１９７が得られる。こうして得られたペレットの各々の一端を点火混合物で被覆する。該ペレットをガス発生機内の所定位置に配置することにより、この塗布されたペレットの端部が点火器の近傍に配置される。
【０１７２】
例Ｂ
ペレットの基本的な材料は、異なる繊維長さ反応性を備えた２またはそれ以上の種々の生綿或いは強綿薬の混合物を含んでいる。この材料は、所定の条件（長さまたは体積当りの重量）で、例えば直径０．１ｍｍのポリエチレン製チューブ内に充填される。このチューブを円筒セグメントに切断することにより、所定寸法、重量の円筒状のペレット１９７が得られる。
【０１７３】
このように得られたペレットの各々が、ガス発生機内に挿入され点火器の近傍に配置される。
【０１７４】
例Ｃ
例ＡまたはＢによる生綿または強綿薬から成るペレットが、液体のカプセルのような所定量の他の材料をペレットに含めることにより製造される。
【０１７５】
例Ｄ
例ＡまたはＢによる生綿または強綿薬から成る第１の短いペレットが製造される。異なる特性の推進剤または推進剤としての特性を有しない第２のペレットが、第１のペレットがガス発生機内に配置された後のガス発生機内の空間に配置される。
【０１７６】
第２のペレットは、例えば埋設した塩類(embedded salts)、フィルタ（例えばエーロゲル）または液体を入れたカプセルを含む。適当なフィルタはエーロゲルである。エーロゲルは、例えば他の化学の混合物、例えば点火混合物でフィルタとして使用可能な微粉である。
【０１７７】
第２のペレットは、中心部に孔が形成されており（第２のペレットはトロイド状の形状を有している）、第１のペレットの燃焼挙動の緩和器として作用する。
【０１７８】
一体型推進剤ペレット１９７は、所望の動作特性を得るために、ペレットまたはその製造方法が、以下の特徴の１つまたは複数を有するように製造される。
a)推進剤ペレット１９７は、選択された１つの材料、例えばニトロセルロースベースの組成物または選択された複数の材料の組合せから製造される。
【０１７９】
b)推進剤ペレット１９７は、特定の形状、重量を有するように製造される。
c)推進剤ペレットの製造工程では、適当な点火材料が該推進剤に組み込まれ、ペレットの内部または外表面の選択された部位に配置される。
【０１８０】
d)推進剤ペレットの好ましい製造方法では、ペレットの形状を選択することにより、ペレットと点火手段との間に空間が設けられる。この空間に、粉状またはフィラメント状の点火材料、例えば強綿薬を充填してもよい。
【０１８１】
e)ペレットは、異なる特性の複数の組成物から成る組立体である。
f)ペレットは、強綿薬のような柔軟なフィラメント状材料または液体のカプセルの集合体を含んでいる。
【０１８２】
g)ペレットは、表面積を増やすために孔やリブ等の幾何学的特徴を備えている。
h)ペレットは、単独で或いは他のペレットと組み合わせてガス発生機の内面に適正に嵌合して、過度で管理できない態様で変位することがない構造を有している。
【０１８３】
i)ペレットの一部（または附加的ペレット）が、推進剤としての特性を備えない単なるスペーサとして作用する領域を含み、ガス発生機内に適正にペレット全体を装着できるようにする。
【０１８４】
j)ペレットは、例えば、強綿薬のような織物、編物、または、フエルト状にしたフィラメント材料によって、その形状を維持する自立構造を有する。
k)ペレットは、ペレットの形状を安定化するために、例えば、ポリエチレンまたは紙状の材料から成る、例えば、細い管状またはネット状の外装附加的カバーまたは外包を有する。
【０１８５】
推進剤の特定の燃焼段階を促進または遅らせるために、一体型推進剤ペレットに代えて、中間材料を間に配置して、同じ或いは異なる特性を有した２またはそれ以上の一体型推進剤ペレットから成る推進剤１９７をハウジング１９２内に配置することができる。
【０１８６】
好ましい実施形態では、推進剤１９７は、所定形状と所定の化学組成を有した複数の一体型推進剤ペレットを前記所定の相対位置に配列、形成した推進剤を具備している。異なる化学組成、従って異なる燃焼特性を有した複数の一体型推進剤ペレットを使用することにより、所与の基準に従って推進剤の燃焼により発生した注射圧力の時間変化を最適化可能となる。
【０１８７】
図５９は、円筒状の一体型推進剤ペレット２１２、２１３、２１４の積層体２１１を示している。好ましい実施形態では、積層体２１１の中心部を貫通する孔２１５が形成されている。
【０１８８】
図６０は、同心円筒状の一体型推進剤ペレット２１７、２１８、２１９の組立体２１６を示している。好ましい実施形態では、組立体２１６の中心部を軸方向に貫通する孔２２０が形成されている。好ましい実施形態では、組立体２１６の中心部を軸方向に貫通する孔を大きくするために、ペレット２１９を取り外される。
【０１８９】
図６１は、一体型推進剤ペレット２２２〜２２７の組立体を示している。ペレット２２２〜２２４は、所定の壁厚を有した円筒形状の１つの扇状の部分(segment)の形状を有している。こうした扇状の部分は、円筒の対称軸に平行で半径２２８、２２９、２３０を通過する平面に沿って該円筒を切断することによって得られる。ペレット２２５〜２２７は、所定直径を有した棒の１つの扇状の部分の形状を有している。こうした扇状の部分(segment)は、棒の対称軸に平行で半径２２８、２２９、２３０を通過する平面に沿って該棒を切断することによって得られる。好ましい実施形態では、組立体２２１の中心部を軸方向に貫通する孔２３１が形成されている。好ましい実施形態では、組立体２２１の中心部を軸方向に貫通する孔を大きくするために、１または複数のペレット２２５、２２７が取り外される。
【０１９０】
図５９〜６１に示した例の好ましい実施形態では、複数の一体型推進剤ペレットから成る組立体に接触させて或いは該組立体の一部として点火層が設けられる。
【０１９１】
上述したタイプの推進剤ペレットは、好ましくは、湿分または摩耗、特に輸送、取扱、貯蔵段階で生じる摩耗による劣化からペレットを保護するための被覆を有している。
【０１９２】
本発明の好ましい実施形態を説明したが、こうした説明は単に一例を示す目的であって、本発明の精神または請求の範囲から逸脱することなく、変更や変形が可能である。
【図面の簡単な説明】
【０１９３】
【図１】本発明による無針注射装置の第１の実施形態の断面図である。
【図２】図１の装置１１の分解斜視図である。
【図３】縮小して示す装置１１の図１と同様の図である。
【図４】装置１１の断面斜視図である。
【図５】異なる方向に見た装置１１の断面斜視図である。
【図６】図４に対応した装置１１の断面斜視図である。
【図７】図５に対応した装置１１の断面斜視図である。
【図８】図１〜図７の注射装置と組み合わせて用いるアプリケーション装置４９の構造を示す図である。
【図９】図１〜図７の注射装置と組み合わせて用いるアプリケーション装置４９の構造を示す図である。
【図１０】図１〜図７の注射装置と組み合わせて用いるアプリケーション装置４９の構造を示す図である。
【図１１】図１〜図７の注射装置と組み合わせて用いるアプリケーション装置４９の構造を示す図である。
【図１２】図１〜図７の注射装置と組み合わせて用いるアプリケーション装置４９の構造を示す図である。
【図１３】図８〜図１２のアプリケーション装置４９の作用を示す図である。
【図１４】図８〜図１２のアプリケーション装置４９の作用を示す図である。
【図１５】図８〜図１２のアプリケーション装置４９の作用を示す図である。
【図１６】図８〜図１２のアプリケーション装置４９の作用を示す図である。
【図１７】第２の実施形態の点火手段を有した注射装置の部分断面図である。
【図１８】図１７の点火器６１の断面図である。
【図１９】僅かに撓んだ点火器６１の断面図である。
【図２０】一層強く点火器６１を撓ませて管６４内のロッド６５が破損した状態を示す断面図である。
【図２１】点火プレート６２内に挿入された点火器６１の斜視図である。
【図２２】図２１の構成要素を示す分解斜視図である。
【図２３】異なる方向に見た図２１と同様の図である。
【図２４】異なる方向に見た図２２と同様の図である。
【図２５】第３の実施形態による点火手段を有した注射装置の部分断面である。
【図２６】図２５の点火器８１の断面図である。
【図２７】点火プレート６２内に挿入された点火器８１の斜視図である。
【図２８】図２７の構成要素を示す分解斜視図である。
【図２９】異なる方向に見た図２７と同様の図である。
【図３０】異なる方向に見た図２８と同様の図である。
【図３１】注射装置および該注射装置に結合され点火器８１の外面の一点に衝接するバネ機構の斜視図である。
【図３２】注射装置および該注射装置に結合され点火器８１の外面の一点に衝接するバネ機構の斜視図である。
【図３３】注射装置および該注射装置に結合され点火器８１の外面の一点に衝接するバネ機構の斜視図である。
【図３４】図２５〜図３３の点火手段と組合せ可能な無針注射装置の種々の実施形態を示す図である。
【図３５】図２５〜図３３の点火手段と組合せ可能な無針注射装置の種々の実施形態を示す図である。
【図３６】図２５〜図３３の点火手段と組合せ可能な無針注射装置の種々の実施形態を示す図である。
【図３７】図２５〜図３３の点火手段と組合せ可能な無針注射装置の種々の実施形態を示す図である。
【図３８】第４の実施形態による点火手段を有した注射装置の部分断面である。
【図３９】図３８の点火器１３１の断面図である。
【図４０】管１３４を撓ませて管１３４内のアンプル１３５が破損した状態を示す断面図である。
【図４１】点火プレート６２内に挿入された点火器１３１の斜視図である。
【図４２】図４１の構成要素を示す分解斜視図である。
【図４３】異なる方向に見た図４１と同様の図である。
【図４４】異なる方向に見た図４２と同様の図である。
【図４５】第５の実施形態による点火手段を有した注射装置の部分断面である。
【図４６】図４５の点火器１５１の断面図である。
【図４７】容器１５４を撓ませて該容器１５４内のアンプル１５５、１５７が破損した状態を示す断面図である。
【図４８】点火プレート６２内に挿入された点火器１５１の斜視図である。
【図４９】異なる方向に見た図４８と同様の図である。
【図５０】図４８、４９に示した構成要素の分解斜視図である。
【図５１】第６の実施形態による点火手段を有した注射装置の部分断面である。
【図５２】点火プレート６２に組み付けた点火器の斜視図である。
【図５３】図５３に示した構成要素の分解斜視図である。
【図５４】異なる方向に見た図５２と同様の図である。
【図５５】異なる方向に見た図５３と同様の図である。
【図５６】第６の実施形態による点火手段を有した注射装置の部分断面である。
【図５７】一体形推進剤ペレットを収容した無針注射器モジュールの実施形態を示す略示断面である。
【図５８】一体形推進剤ペレットを示す面である。
【図５９】複数の一体形推進剤ペレットから成るアレーを示す面である。
【図６０】複数の一体形推進剤ペレットから成るアレーを示す面である。
【図６１】複数の一体形推進剤ペレットから成るアレーを示す面である。
【符号の説明】
【０１９４】
２    伝爆薬／伝爆薬材料
５    撃針
６    中空リム
７    薬莢
９    湿分シール
１１    無針注射装置／無針注射カートリッジ
１２    薬剤容器
１３    薬剤ユニット
１４    可撓性の壁
１５    ノズル
１６    流体通路
１７    オリフィス／ジェット出口
１８    変形可能なバリア
１９    破損保護キャップ
２０    第１のハウジング部
２１    第２のハウジング部
２３    推進剤容器
２４    推進剤
２４ａ    薬莢７内の推進剤
２４ｂ    薬莢７外の推進剤
２８    中間支持部材
３０    ハウジング部のネジ部分
３１    第１の室
３２    第２の室
３３    第１の室の第１の領域
３４    第１の室の第２の領域
３５    バースト膜／推進剤容器の壁の薄肉部
４１    プランジャハウジング
４２    プランジャ／衝接プランジャ
４３    スプリング／メインスプリング
４４    ラッチ指
４５    ラッチ組立体
４６    カム面
４７    押圧シェル
４９    アプリケーション装置
５１    検知スプリング
５２    安全ラッチ
５３    エンドキャップ
５８    中心位置決め用ラグ部分
５９    中心位置決め用ラグ部分
６１    ガラス製のスナップロッド点火器
６２    点火プレート
６３    推進剤室
６４    管
６５    ロッド
６６    衝撃感応性煙火材料の被覆
６７    管６４の閉鎖端部
６８    管６４の開口端部
６９    保持クリンプ部
７０    エアーギャップ
７１    管６４の出口
７２    脆弱性の湿分シール
７３    二次点火材料
７８    中心位置決め用ラグ部分
７９    保持クリンプ部
８０    エアーギャップ
８１    点火器
８２    点火衝撃領域のスポット
８４    管
８５    金属製のアンビルピン
８６    衝撃感応性煙火材料の被覆
８７    アンビルピン８５の端部
８８    管８４の開口端部
８９    管８４の閉鎖端部
９１    管８４の出口
９２    脆弱性の湿分シール
９３    二次点火材料
１０１    トーションスプリングコイル
１０２    Ｌ形の腕部
１０３    リリースラッチ
１０４    ピボットノッチ
１０５    トリガーガード
１０６    トリガーガード
１０７    停止部材
１０８    支持部
１１１    一体形推進剤
１１２    点火層
１１３    ノズル本体
１１４    剛性のハウジング
１１５    変形可能なダイヤフラム
１１６    変形可能なダイヤフラム
１１７    オリフィス
１１８    ノズル本体１１３の通路
１１９    薬剤室
１２０    剥離フォイルシールタブ
１２１    剛性の薬剤室
１２２    薬剤領域
１２３    ノズル
１２４    オリフィス
１２５    推進剤領域
１２６    推進剤
１２７    通路
１２８    ピストン
１２９    ハウジング部
１３１    点火器
１３４    第１の本体／金属管
１３５    第２の管／アンプル
１３６    第１の自然発火性の部材
１３７    第２の自然発火性の部材
１３８    管１３４の開口端
１３９    保持クリンプ部
１４１    管１３４の出口
１４２    脆弱性の湿分シール
１４３    二次点火材料
１５１    点火器
１５４    容器／金属管
１５５    第１の管／アンプル
１５６    第１の自然発火性の部材
１５７    第２の管／アンプル
１５８    第２の自然発火性の部材
１６１    容器１５４の出口
１６２    脆弱性の湿分シール
１６３    二次点火材料
１７１    回転体／回転マッチ
１７２    静止体／衝接リング
１７３    圧縮トーションスプリング／押圧手段／駆動手段
１７４    係止ピン／起動引きピン
１７５    駆動手段／アンカーポスト
１７６    スナップ式に係止されているスプリング１７３の端部
１７７    フランジ部
１８１    圧電スパーク発生器
１８２    電極
１８３    電極
１８４    電極の端部
１８５    電極の端部
１８６    圧電スパーク発生器の作動ボタン
１９１    ノズル本体
１９２    ハウジング
１９３    変形可能なダイヤフラム
１９４    空所
１９５    薬剤室
１９６    変形可能なダイヤフラム
１９７    推進剤／推進剤ペレット
１９８    点火層
１９９    オリフィス
２０１    ノズル通路
２０２    取外可能なフォイルシール
２０３    排気口
２０４    撃針
２０５    ネジ部
２０６    点火プレート
２０７    推進剤ペレットの孔
２１１    一体形推進剤ペレットの積層体
２１２    一体形推進剤ペレット
２１３    一体形推進剤ペレット
２１４    一体形推進剤ペレット
２１５    一体形推進剤ペレット２１２〜２１４の貫通孔
２１６    同心状の複数の推進剤ペレットから成る組立体
２１７    一体形推進剤ペレット
２１８    一体形推進剤ペレット
２１９    一体形推進剤ペレット
２２０    組立体２１６の貫通孔
２２１    複数の推進剤ペレットから成る組立体
２２２    一体形推進剤ペレット
２２３    一体形推進剤ペレット
２２４    一体形推進剤ペレット
２２５    一体形推進剤ペレット
２２６    一体形推進剤ペレット
２２７    一体形推進剤ペレット
２２８    半径
２２９    半径
２３０    半径
２３１    組立体２２１の貫通孔
【図１】
2006508718.tif 000003
【図２】
2006508718.tif 000004
【図３】
2006508718.tif 000005
【図４】
2006508718.tif 000006
【図５】
2006508718.tif 000007
【図６】
2006508718.tif 000008
【図７】
2006508718.tif 000009
【図８】
2006508718.tif 000010
【図９】
2006508718.tif 000011
【図１０】
2006508718.tif 000012
【図１１】
2006508718.tif 000013
【図１２】
2006508718.tif 000014
【図１３】
2006508718.tif 000015
【図１４】
2006508718.tif 000016
【図１５】
2006508718.tif 000017
【図１６】
2006508718.tif 000018
【図１７】
2006508718.tif 000019
【図１８】
2006508718.tif 000020
【図１９】
2006508718.tif 000021
【図２０】
2006508718.tif 000022
【図２１】
2006508718.tif 000023
【図２２】
2006508718.tif 000024
【図２３】
2006508718.tif 000025
【図２４】
2006508718.tif 000026
【図２５】
2006508718.tif 000027
【図２６】
2006508718.tif 000028
【図２７】
2006508718.tif 000029
【図２８】
2006508718.tif 000030
【図２９】
2006508718.tif 000031
【図３０】
2006508718.tif 000032
【図３１】
2006508718.tif 000033
【図３２】
2006508718.tif 000034
【図３３】
2006508718.tif 000035
【図３４】
2006508718.tif 000036
【図３５】
2006508718.tif 000037
【図３６】
2006508718.tif 000038
【図３７】
2006508718.tif 000039
【図３８】
2006508718.tif 000040
【図３９】
2006508718.tif 000041
【図４０】
2006508718.tif 000042
【図４１】
2006508718.tif 000043
【図４２】
2006508718.tif 000044
【図４３】
2006508718.tif 000045
【図４４】
2006508718.tif 000046
【図４５】
2006508718.tif 000047
【図４６】
2006508718.tif 000048
【図４７】
2006508718.tif 000049
【図４８】
2006508718.tif 000050
【図４９】
2006508718.tif 000051
【図５０】
2006508718.tif 000052
【図５１】
2006508718.tif 000053
【図５２】
2006508718.tif 000054
【図５３】
2006508718.tif 000055
【図５４】
2006508718.tif 000056
【図５５】
2006508718.tif 000057
【図５６】
2006508718.tif 000058
【図５７】
2006508718.tif 000059
【図５８】
2006508718.tif 000060
【図５９】
2006508718.tif 000061
【図６０】
2006508718.tif 000062
【図６１】
2006508718.tif 000063
【国際調査報告】
2006508718.tif 000064
2006508718.tif 000065
2006508718.tif 000066
2006508718.tif 000067